(57)【要約】【課題】職能モデルが複数存在する場合に、建築主の要求事項を満たす建築の設計施工計画を効率的に作成することができる建築設計施工計画方法及び建築設計施工計画システムを得る。【解決手段】建築主の要求事項に関する情報から定まる、建築物の形状に関する形状情報を反映し、かつ建築物の各要素の属性情報を付与した、建築物の３次元モデルであるベースモデルを生成する。そして、複数の職能に対し、生成されたベースモデルから得られる各情報を参照して、建築物を建築するための３次元モデルである職能モデルを複数生成すると共に、建築主の要求事項に関する情報から定まる、建築物の各要素の属性情報をベースモデルに付与する。【選択図】図４
2018005507.tif 000002
【特許請求の範囲】
【請求項１】
建築主の要求事項に関する情報から定まる、建築物の形状に関する形状情報を反映し、かつ建築物の各要素の属性情報を付与した、建築物の３次元モデルであるベースモデルを生成する工程と、
複数の職能に対し、生成された前記ベースモデルから得られる各情報を参照して、前記建築物を建築するための３次元モデルである職能モデルを複数生成すると共に、前記建築主の要求事項に関する情報から定まる、建築物の各要素の属性情報を前記ベースモデルに付与する工程と、
を含む建築設計施工計画方法。
【請求項２】
前記ベースモデルは、前記職能から付与された、他の職能に対する職能モデルを生成するために参照される前記属性情報を更に含む
請求項１に記載の建築設計施工計画方法。
【請求項３】
建築主の要求事項を表す情報から定まる、建築物の形状に関する形状情報と建築物の各要素の属性情報とを受信する受信手段、及び
前記受信手段によって得られた前記形状情報を反映した、建築物の３次元モデルであるベースモデルであって、前記受信手段によって受信した前記属性情報を含むベースモデルを生成するベースモデル生成手段、
を備えたサーバと、
複数の職能に対する複数のクライアントコンピュータであって、
前記職能により入力された前記属性情報を前記サーバへ送信する送信手段、
前記サーバによって生成された前記ベースモデルを取得して前記ベースモデルから得られる各情報を表示する表示手段、
前記職能により入力された、設計情報を受け付ける受付手段、及び
前記受付手段によって受け付けた前記設計情報に基づいて、前記建築物を建築するための３次元モデルである職能モデルを生成するモデル生成手段
を備えた複数のクライアントコンピュータと、
を含む建築設計施工計画システム。
【発明の詳細な説明】
【技術分野】
【０００１】
本発明は、建築設計施工計画方法及び建築設計施工計画システムに関する。
【背景技術】
【０００２】
従来、建造物の構工法のデータの中から施工計画対象建造物の建造に採用する構工法データを選択し、選択された構工法データを参照して、施工計画対象建造物の形状データの部材毎に属性情報を付与し、それぞれの部材に付与されている属性情報を集計することにより、施工計画情報を生成する技術が知られている（例えば特許文献１を参照）。
【先行技術文献】
【特許文献】
【０００３】
【特許文献１】特開２００７‐２３９２２３号公報
【発明の概要】
【発明が解決しようとする課題】
【０００４】
しかし、建築物の形状データの設計作業は、複数の職能によって行われることが多い。そのため、複数の職能によって設計作業が行われ、各職能に対応する職能モデルが複数存在する場合、建築主の要求事項が、各職能に対応する職能モデルの中に分散して表現されてしまい、建築主の要求事項を満たした設計施工計画を効率的に作成することができないという課題があった。
【０００５】
本発明は上記事実を考慮して、職能モデルが複数存在する場合に、建築主の要求事項を満たす設計施工計画を効率的に作成することができる建築設計施工計画方法及び建築設計施工計画システムを提供することを目的とする。
【課題を解決するための手段】
【０００６】
上記目的を達成するために、本発明の建築設計施工計画方法は、建築主の要求事項に関する情報から定まる、建築物の形状に関する形状情報を反映し、かつ建築物の各要素の属性情報を付与した、建築物の３次元モデルであるベースモデルを生成する工程と、複数の職能に対し、生成された前記ベースモデルから得られる各情報を参照して、前記建築物を建築するための３次元モデルである職能モデルを複数生成すると共に、前記建築主の要求事項に関する情報から定まる、建築物の各要素の属性情報を前記ベースモデルに付与する工程と、を含んで構成されている。
【０００７】
本発明の建築設計施工計画方法によれば、建築主の要求事項に関する情報から定まる、建築物の形状に関する形状情報を反映し、かつ建築物の各要素の属性情報を付与したベースモデルを生成し、複数の職能に対し、生成されたベースモデルから得られる各情報を参照して、職能モデルを複数生成することにより、職能モデルが複数存在する場合に、建築主の要求事項を満たす設計施工計画を効率的に作成することができる。
【０００８】
なお、本発明の前記ベースモデルは、前記職能から付与された、他の職能に対する職能モデルを生成するために参照される前記属性情報を更に含むようにしてもよい。これにより、他の職能に対する職能モデルによってベースモデルに含まれる属性情報が更新された場合であっても、設計施工計画を効率的に進めることができる。
【０００９】
また、本発明の建築設計施工計画システムは、建築主の要求事項を表す情報から定まる、建築物の形状に関する形状情報と建築物の各要素の属性情報とを受信する受信手段、及び前記受信手段によって得られた前記形状情報を反映した、建築物の３次元モデルであるベースモデルであって、前記受信手段によって受信した前記属性情報を含むベースモデルを生成するベースモデル生成手段、を備えたサーバと、複数の職能に対する複数のクライアントコンピュータであって、前記職能により入力された前記属性情報を前記サーバへ送信する送信手段、前記サーバによって生成された前記ベースモデルを取得して前記ベースモデルから得られる各情報を表示する表示手段、前記職能により入力された、設計情報を受け付ける受付手段、及び前記受付手段によって受け付けた前記設計情報に基づいて、前記建築物を建築するための３次元モデルである職能モデルを生成するモデル生成手段を備えた複数のクライアントコンピュータと、を含んで構成されている。
【発明の効果】
【００１０】
本発明によれば、建築主の要求事項に関する情報から定まる、建築物の形状に関する形状情報を反映し、かつ建築物の各要素の属性情報を付与したベースモデルを生成し、複数の職能に対し、生成されたベースモデルから得られる各情報を参照して、職能モデルを複数生成することにより、職能モデルが複数存在する場合に、建築主の要求事項を満たす設計施工計画を効率的に作成することができる、という効果が得られる。
【図面の簡単な説明】
【００１１】
【図１】本実施の形態の概要を説明するための図である。
【図２】建築主の要求事項の分類の例を示す図である。
【図３】本実施の形態の概要を説明するための図である。
【図４】ベースモデルの一例である。
【図５】本実施の形態に係る建築設計施工計画システムの概略構成を示すブロック図である。
【図６】本実施の形態に係るクライアントコンピュータの概略構成を示すブロック図である。
【図７】本実施の形態に係るサーバの概略構成を示すブロック図である。
【図８】ベースモデルの生成過程を説明するための図である。
【図９】本実施の形態に係る建築設計施工計画システムの作用の一例を示すである。
【図１０】ベースモデルと従来のモデルとの相違を説明するための図である。
【図１１】ベースモデルと各職能に応じたＢＩＭモデルとが紐付けられている場合の例を説明するための図である。
【発明を実施するための形態】
【００１２】
＜本発明の実施の形態の概要＞
建築の設計施工計画の際に用いられるＢＩＭ（Building Information Modeling）では、建築物を表す３次元モデルがコンピュータ上に生成される。ＢＩＭを用いて設計施工計画を作成する場合、複数の職能の各々は、自らの職能に応じたＢＩＭモデルを作成し、各ＢＩＭモデルを連携させることにより計画を作成する。
【００１３】
図１に、ＢＩＭを用いた設計施工計画の概念図を示す。図１には、各ＢＩＭモデルの一例として、建築設計モデル、構造設計モデル、設備設計モデル、積算モデル、工事計画モデル、施工モデル、鉄骨モデル、設備施工モデル、及びＦＭ（Facility Management）モデルを示す。以下、これらの各ＢＩＭモデルによって設計施工計画が作成される場合を例に説明する。
【００１４】
上記図１に示す各ＢＩＭモデルは、各職能によって作成される。例えば、ＢＩＭモデルの一例としての建築設計モデルは、建築設計担当の職能によって作成される。
【００１５】
また、ＢＩＭモデルには、対象の建築物の３次元の形状情報と建築物の各要素の属性情報とが含まれる。例えば、建築物に含まれる要素である「ドア」のオブジェクトに対し、オブジェクトの名称「ドア」が付与され、更に「寸法」、「材質」等の情報が属性情報として付与される。
【００１６】
ここで、ＢＩＭを用いて設計施工計画を作成する場合、建築主の要求事項を満たした計画を作成する必要がある。図２に、建築主の要求事項の分類例を示す。図２に示すように、スペースに関する要求事項から防水に関する要求事項まで、建築主の要求事項は多岐に渡ることが多い。
【００１７】
建築主の要求事項は、文書や口頭によって各職能へ伝えられる。例えば、建築主の要求事項が口頭によって示される場合、各職能は建築主に対してヒアリングを行い、建築主の要求事項を理解し、当該要求事項をＢＩＭモデルの形状情報又は属性情報へ変換して、自らの職能に対応するＢＩＭモデルに反映させる。
【００１８】
例えば、上記図１に示すように、建築主の要求事項として、Ａ，Ｂ，Ｃが示された場合を例に説明する。各職能は、要求事項Ａ〜Ｃに基づいて設計作業を行い、当該職能に応じたＢＩＭモデルを作成する。
【００１９】
ここで、要求事項Ａが、例えば「ａの用途の部屋をｂ階に設け、面積はおよそｃ［ｍ２］としたい。」である場合について説明する。
【００２０】
建築設計の職能は、要求事項Ａに基づいて、ｃ［ｍ２］であるａの用途の部屋をｂ階に設けるように設計作業を行い、建築設計モデルを生成する。建築設計の職能の設計作業によって、建築主の要求事項を満たす形状情報が建築設計モデルへ反映される。
【００２１】
また、建築設計の職能は、オブジェクトである当該部屋に対し、例えば用途「ａ」、階数「ｂ階」、面積「ｃ［ｍ２］」といった属性情報を付与する。ここで、要求事項Ａに基づき建築設計モデルへ反映された形状情報及び付与された属性情報をＡ１とする。
【００２２】
次に、構造設計の職能は、要求事項Ａと、建築設計モデルによって得られたＡ１に基づいて、構造に関する設計作業を行い、構造設計モデルを生成する。例えば、要求事項Ａにおける用途「ａ」が「図書室」である場合、構造設計の職能は、「図書室」における荷重条件が満たされるように設計作業を行い、構造設計モデルを生成する。また、構造設計の職能は、オブジェクトである当該部屋に対し、例えば「荷重条件○○」といった属性情報を付与する。ここで、要求事項Ａに基づき構造設計モデルへ反映された形状情報及び付与された属性情報をＡ２とする。
【００２３】
次に、設備設計の職能は、要求事項Ａと、建築設計モデルによって得られたＡ１に基づいて、設備に関する設計作業を行い、設備設計モデルを生成する。例えば、設備設計の職能は、要求事項Ａ又は建築設計モデルによって得られたＡ１のうちの部屋面積「ｃ［ｍ２］」と、建築設計モデルによって得られた当該部屋の高さに基づいて、当該部屋の容積を算出する。そして、設備設計の設計職能は、算出した部屋容積に応じた空調設備の条件が満たされるように空調設備の設計作業を行い、設備設計モデルを生成する。ここで、要求事項Ａに基づき設備設計モデルへ付与された属性情報をＡ３とする。
【００２４】
このように、建築主の要求事項Ａが、各職能のＢＩＭモデル内において異なる形式（Ａ１〜Ａ３）で表現される。
【００２５】
次に、要求事項Ｂが、例えば「ｅの部屋にｆ［ton］の機器を置けること。」である場合、構造設計の職能は、要求事項Ｂに基づいて、ｆ［ton］の機器が置ける荷重条件を満たすように設計作業を行い、構造設計モデルを生成する。また、構造設計の職能は、オブジェクトである当該部屋に対し、例えば「荷重条件○○」といった属性情報を付与する。ここで、要求事項Ｂに基づき構造設計モデルへ反映された形状情報及び付与された属性情報をＢ２とする。
【００２６】
次に、要求事項Ｃが、例えば「ｇの部屋の清浄度はｈとする。」である場合、設備設計の職能は、要求事項Ｃに基づいて、ｇの部屋の清浄度がｈを満たすように設計作業を行い、設備設計モデルを生成する。また、設備設計の職能は、オブジェクトである当該部屋に対し、例えば「清浄度○○」といった属性情報を付与する。ここで、要求事項Ｃに基づき設備設計モデルへ反映された形状情報及び付与された属性情報をＣ３とする。
【００２７】
なお、各職能のＢＩＭモデルの生成過程において、他の職能のＢＩＭモデルを生成するために参照される情報が生成される。例えば、窓の形状は上記Ａ〜Ｃの要求事項に含まれておらず建築主の要求事項ではないが、建築設計モデルの生成過程で生成され、構造設計モデル及び設備設計モデルの作成の際に参照される。また、プレキャストコンクリート構造とする範囲等についても、建築主の要求事項ではないが、構造設計モデルの生成過程で生成され、他のＢＩＭモデルの作成の際に参照される。このように、後工程のＢＩＭモデルの生成において参照される情報も、各職能のＢＩＭモデルにおいて生成される。
【００２８】
したがって、上記図１に示すように、他の職能のＢＩＭモデルを生成するために参照される属性情報をＸ１〜Ｘ３とする。
【００２９】
このように、各職能は、建築主の要求事項に関する情報を自らのＢＩＭモデルに応じた情報に変換し、ＢＩＭモデルを作成する。また、各職能は、他の職能によって生成された情報に基づいて、自らのＢＩＭモデルを作成する。
【００３０】
しかし、上記図１に示されるように、建築主の要求事項に関する情報が複数のＢＩＭモデルに分散して表現され、かつ各職能のＢＩＭモデルに応じて建築主の要求事項に関する情報が異なる形式で表現される。例えば、上述した例では、建築主の要求事項に関する情報がＡ１〜Ａ３，Ｂ２，Ｃ３といった形式で各ＢＩＭモデルに分散されてしまう。
【００３１】
更に、ＢＩＭモデルの生成過程において、後工程である他の職能のＢＩＭモデルの生成に用いられる情報が生成される。例えば、上述した例では、他の職能のＢＩＭモデルの生成に用いられる情報Ｘ１〜Ｘ３が生成される。
【００３２】
したがって、建築主の要求事項に関する情報が分散されてしまい、かつ建築主の要求事項に関する情報と、後工程のＢＩＭモデルの生成において参照される情報とが混在してしまうため、従来においては、建築主の要求事項を満たした設計施工計画を効率的に作成することができなかった。
【００３３】
そこで、本実施の形態では、建築主の要求事項に関する情報から定まる、建築物の形状に関する形状情報及び建築物の各要素の属性情報を反映させ、かつ他の職能に対するＢＩＭモデルを生成するために参照される情報を含むベースモデルを生成する。なお、建築主の要求事項に関する情報から定まる形状情報及び属性情報と、他の職能に対するＢＩＭモデルを生成するために参照される情報とは、区別されてベースモデルに反映される。
【００３４】
本実施の形態におけるベースモデルは、建築主の要求事項や必要な性能をＢＩＭモデルとして構築したものであり、契約のベースとなるだけではなく、各職能のＢＩＭモデルの核となる。
【００３５】
図３に、本発明の実施の形態に係るベースモデルを説明するための説明図を示す。図３に示すように、本実施の形態では、建築主の要求事項に関する情報（例えば、上記のＡ１〜Ａ３，Ｂ２，Ｃ３）が反映され、かつ各職能に対するＢＩＭモデルを生成するために参照される情報（例えば、上記のＸ１，Ｘ２，Ｘ３）を含むベースモデルを生成する。なお、上記図３において、従来における情報の流れを点線の矢印で示し、本実施の形態における情報の流れを実線の矢印で示している。
【００３６】
上記図３では、各職能が「インプット」に応じて自らのＢＩＭモデルを作成し、作成されたＢＩＭモデルから「アウトプット」が得られることを表している。また、「やりたいこと」は、各職能に応じたＢＩＭモデルにおいて実現したいことを表している。
【００３７】
上記図３に示すように、従来では前工程で生成された複数のＢＩＭモデルを参照して、自らの職能に応じたＢＩＭモデルを生成する必要があったが、本実施の形態では各職能は、ベースモデルから得られる情報を参照し、自らのＢＩＭモデルを作成する。これにより、各職能は、前工程で生成された複数のＢＩＭモデルを参照しなくとも、建築主の要求事項が反映されたＢＩＭモデルを効率的に作成することができる。
【００３８】
図４にベースモデルの一例を示す。図４のベースモデルでは、敷地、ゼロキューブ、通り芯、階高、各部屋の面積、天井高（ゾーン）、スパン、基本の柱割、外壁と建物外周ラインが、建築主の要求事項に関する情報として反映されている。また、その他建築物の性能に関する属性として、専用区分、防水範囲、荷重条件、及び清浄度などが、建築主の要求事項に関する情報として付与されている。
【００３９】
なお、建築物の性能に関する属性を表す、専用区分、防水範囲、荷重条件、及び清浄度などは、建築主やプロジェクトの特性に応じて設定される。また、建築物の性能に関する属性は、基本的にゾーンに入力される。
【００４０】
以下、本発明の実施の形態について詳細に説明する。まず、図５を参照して、本発明が適用された建築設計施工計画システム１０の構成を説明する。
【００４１】
＜建築設計施工計画システムのシステム構成＞
図５に示すように、建築設計施工計画システム１０は、複数のクライアントコンピュータ１２とサーバ１４とを備えている。複数のクライアントコンピュータ１２は、複数の職能に対応しており、各職能は自身のクライアントコンピュータ１２を用いてＢＩＭモデルを生成する。
【００４２】
複数のクライアントコンピュータ１２とサーバ１４とは、例えばインターネットやＬＡＮなどのネットワーク１６を介して接続されている。
【００４３】
［クライアントコンピュータ］
図６は、クライアントコンピュータ１２の構成の一例を示すブロック図である。クライアントコンピュータ１２は、ＣＰＵ（Central  Processing  Unit）、各処理ルーチンを実現するためのプログラム等を記憶したＲＯＭ（Read  Only  Memory）、データを一時的に記憶するＲＡＭ（Random  Access  Memory）、記憶手段としてのメモリ、ネットワークインタフェース等を含んで構成されている。クライアントコンピュータ１２は、機能的には、図６に示すように、操作部１２０、コンピュータ１２２、及び表示部１３０を含んだ構成で表すことができる。操作部１２０は、受付手段の一例である。
【００４４】
各職能は、自らの職能に応じたＢＩＭモデルを作成し、建築主の要求事項を表す情報から定まる建築物の形状に関する形状情報をベースモデルへ反映し、建築主の要求事項を表す情報から定まる建築物の各要素の属性情報をベースモデルへ付与する作業と、ベースモデルから得られる各情報を参照して自らの職能に応じたＢＩＭモデルを生成する作業とを行う。
【００４５】
まず、各職能が、自らの職能に応じたＢＩＭモデルを作成し、建築物の形状に関する形状情報をベースモデルへ反映し、建築物の各要素の属性情報をベースモデルへ付与する作業について説明する。
【００４６】
操作部１２０は、職能であるユーザから入力された設計情報を受け付ける。操作部１２０は、例えばキーボードやマウス等である。具体的には各職能は、建築主の要求事項を表す情報を理解し、建築主の要求事項を表す情報を満たすように設計情報を生成する。そして、職能は、建築主の要求事項を表す情報に基づき生成した設計情報を操作部１２０により入力する。
【００４７】
コンピュータ１２２は、機能的には、図６に示すように、モデル生成部１２４、モデル記憶部１２６、及び送受信部１２８を備えている。送受信部１２８は、送信手段の一例である。
【００４８】
モデル生成部１２４は、操作部１２０によって受け付けた設計情報に基づいて、ＢＩＭモデルを生成する。ＢＩＭモデルは、建築物を建築するための３次元モデルである職能モデルの一例である。
【００４９】
設計情報には、建築主の要求事項を表す情報が、建築物の形状に関する形状情報及び建築物の各要素の属性情報として反映されている。職能は、操作部１２０による操作に応じてモデル生成部１２４を操作し、建築物の形状に関する形状情報をＢＩＭモデルに反映し、建築物の各要素の属性情報をＢＩＭモデルに付与して、ＢＩＭモデルを作成する。
【００５０】
モデル記憶部１２６には、職能の操作に応じてモデル生成部１２４によって生成されたＢＩＭモデルが格納される。
【００５１】
送受信部１２８は、サーバ１４との間で情報の送受信を行う。具体的には、送受信部１２８は、操作部１２０に入力された操作に応じて、職能により入力された、建築物の形状に関する形状情報及び建築物の各要素の属性情報を、ネットワーク１６を介してサーバ１４へ送信する。
【００５２】
例えば、各職能は、ＢＩＭモデルを作成する過程において、操作部１２０を操作し、建築主の要求事項を表す情報から定まる、建築物の形状に関する形状情報を送受信部１２８によりサーバ１４へ送信し、サーバ１４において生成されるベースモデルに反映させる。また、職能は、ＢＩＭモデルを作成する過程において、操作部１２０を操作し、建築主の要求事項を表す情報から定まる、建築物の各要素の属性情報を送受信部１２８によりサーバ１４へ送信し、サーバ１４において生成されるベースモデルに付与させる。ベースモデルは、建築主の要求事項に関する情報から定まる、建築物の形状に関する形状情報を反映し、かつ建築物の各要素の属性情報を付与した、建築物の３次元モデルである。
【００５３】
また、同様に、各職能は操作部１２０を操作し、他の職能に対するＢＩＭモデルを生成するために参照される情報の一例としての属性情報を送受信部１２８によりサーバ１４へ送信し、サーバ１４において生成されるベースモデルに付与する。
【００５４】
次に、各職能が、ベースモデルから得られる各情報を参照して、自らの職能に応じたＢＩＭモデルを生成する作業について説明する。
【００５５】
各職能は操作部１２０を操作し、送受信部１２８によって後述するサーバ１４のベースモデル記憶部１４６に記憶されたベースモデルの情報を受信する。
【００５６】
表示部１５０は、送受信部１２８により受信したベースモデルを取得し、ベースモデルから得られる情報を職能に対し表示する。表示部１５０は、例えばディスプレイ等によって実現される。
【００５７】
そして、各職能は、表示部１５０により表示されたベースモデルから得られる各情報を参照して、操作部１２０を操作し、自らの職能に応じたＢＩＭモデルを作成する。ベースモデルには、建築主の要求事項に関する情報から定まる、形状情報が反映され属性情報が付与されている。そのため、各職能は、建築主の要求事項を満たしたＢＩＭモデルを作成することができる。
【００５８】
また、ベースモデルには、他の職能に対するＢＩＭモデルを生成するために参照される属性情報が付与されている。そのため、各職能は、自らのＢＩＭモデルを生成するために必要な属性情報を参照してＢＩＭモデルを作成することができる。
【００５９】
［サーバ］
サーバ１４は、ＣＰＵ、各処理ルーチンを実現するためのプログラム等を記憶したＲＯＭ、データを一時的に記憶するＲＡＭ、記憶手段としてのメモリ、ネットワークインタフェース等を含むサーバで構成されている。サーバ１４は、機能的には、図７に示すように、コンピュータ１４０、操作部１４８、及び表示部１５０を含んだ構成で表すことができる。
【００６０】
コンピュータ１４０は、機能的には、図７に示すように、送受信部１４２、ベースモデル生成部１４４、及びベースモデル記憶部１４６を備えている。
【００６１】
送受信部１４２は、クライアントコンピュータ１２との間で情報の送受信を行う。具体的には、送受信部１４２は、各職能の操作によってクライアントコンピュータ１２から送信された、建築物の形状に関する形状情報と建築物の各要素の属性情報とをネットワーク１６を介して受信し、ベースモデル生成部１４４へ出力する。
【００６２】
また、送受信部１４２は、各職能の操作によってクライアントコンピュータ１２から送信された、他の職能に対するＢＩＭモデルを生成するために参照される属性情報を受信し、ベースモデル生成部１４４へ出力する。
【００６３】
ベースモデル生成部１４４は、各職能の操作に応じて送受信部１４２によって得られた建築物の形状に関する形状情報と建築物の各要素の属性情報に基づいて、建築主の要求事項に関する情報から定まる、建築物の形状に関する形状情報を反映し、かつ、建築物の各要素の属性情報を付与した、建築物の３次元モデルであるベースモデルを生成する。
【００６４】
具体的にはベースモデル生成部１４４は、送受信部１４２を介して受信される各職能の操作に応じて、各職能のクライアントコンピュータ１２から送信された建築物の形状に関する形状情報と建築物の各要素の属性情報に基づきベースモデルを生成する。
【００６５】
ベースモデル記憶部１４６には、ベースモデル生成部１４４によって生成されたベースモデルが格納される。
【００６６】
操作部１４８は、例えば、サーバ１４のユーザから入力された操作情報を受け付ける。コンピュータ１４０は、操作部１４８により受け付けた操作情報に応じて、各処理を実行する。
【００６７】
表示部１５０は、コンピュータ１４０から出力される情報を、例えば、サーバ１４のユーザ等に対し表示する。例えば、表示部１５０は、操作部１４８により受け付けた操作情報に応じて、ベースモデルを表示させること等ができる。
【００６８】
このように、建築主の要求事項に関する情報から定まる、建築物の形状に関する形状情報及び建築物の各要素の属性情報を反映したベースモデルが生成される。また、複数の職能に対し、生成されたベースモデルから得られる各情報が参照され、各職能に応じたＢＩＭモデルが複数生成されると共に、建築主の要求事項に関する情報から定まる、建築物の各要素の属性情報がベースモデルに付与される。
【００６９】
図８に、ベースモデルの生成過程を説明するための図を示す。図８に示すように、ｐｈ（フェーズ）０，１において建築の設計施工計画を受注すると、計画を担当する各職能はＢＩＭモデルの作成を開始する。
【００７０】
ｐｈ０，１において、建築設計の職能がＢＩＭモデルとして建築設計モデルの作成を開始し、構造設計の職能がＢＩＭモデルとして構造設計モデルの作成を開始し、設備設計の職能がＢＩＭモデルとして設備設計モデルの作成を開始する。
【００７１】
ここで、建築設計の職能、構造設計の職能、及び設備設計の職能は、建築主の要求事項に関する情報に基づいて、当該要求事項が反映されたＢＩＭモデルを作成する。
【００７２】
例えば、建築設計の職能は、建築主の要求事項に関する情報から定まる形状情報を、建築設計モデルに反映させる。そして、建築設計の職能は、建築設計モデルに反映された形状情報Ａｉｎをベースモデルに反映させる。
【００７３】
また、各職能は、自らの職能に応じたＢＩＭモデルを作成する過程で、建築主の要求事項に関する情報から定まる、建築物の各要素の属性情報Ａｉｎを、ベースモデルに付与する。また、各職能は、自らの設計職能に応じたＢＩＭモデルを作成する過程で、他の職能に対するＢＩＭモデルを生成するために参照される属性情報Ｂｉｎを、ベースモデルに付与する。
【００７４】
また、各職能は、ベースモデルから得られる情報（Ａout，Ｂout）を参照して、自らの職能に応じたＢＩＭモデルを作成する。
【００７５】
ｐｈ２において、建築設計の職能、構造設計の職能、及び設備設計の職能の設計作業のうち、建築主の要求事項に関する部分が終了し、プランが確定する。プランが確定することにより、ベースモデルのうち、建築主の要求事項に関する部分が確定する。
【００７６】
そして、ｐｈ２〜ｐｈ６において、各職能は、自らの職能に応じたＢＩＭモデルを作成する過程で、他の職能に対するＢＩＭモデルを生成するために参照される属性情報Ｂｉｎをベースモデルに付与する。また、各職能は、ベースモデルから得られる情報（Ａout，Ｂout）を参照して、自らの職能に応じたＢＩＭモデルを作成する。
【００７７】
なお、建築主の要求事項が変更され設計変更が生じた場合、ベースモデルも変更される。ベースモデルが変更される場合には、各職能に対しベースモデルの変更が通知される。
【００７８】
なお、上記図８に示されている部分モデルは、各職能に応じたＢＩＭモデルの一部を構成する部分モデルであり、例えば、ボリュームモデル、ディティール検証モデル、鉄筋納まりモデル、デザインモデル、ＰＣ／Ｃ検討モデル、構工法比較モデル、シミュレーションモデル、デジタルモックアップモデル、及び掘削山留検討モデル等がある。
【００７９】
＜建築設計施工計画システムの作用＞
次に、本実施の形態に係る建築設計施工計画システム１０の作用として、図９を参照して、ベースモデルの生成処理を実行する際の建築設計施工計画システム１０の作用を説明する。なお、図９では、各職能に応じたＢＩＭモデルとして、建築設計モデル、構造設計モデル、設備設計モデル、積算モデル、及び工事計画モデルを例に説明する。
【００８０】
なお、以下の説明では、各職能のＢＩＭモデルから、ベースモデルへ反映される情報のうち、建築主の要求事項を表す情報から定まる、建築物の形状に関する形状情報及び建築物の各要素の属性情報をＡｉｎとし、後工程で生成される他の職能に対するＢＩＭモデルを生成するために参照される属性情報をＢｉｎとする。
【００８１】
また、各職能が自らのＢＩＭモデルを生成する際にベースモデルから参照する情報のうち、建築主の要求事項を表す情報から定まる、建築物の形状に関する形状情報及び建築物の各要素の属性情報をＡｏｕｔとし、後工程において、他の職能に対するＢＩＭモデルを生成するために参照される属性情報をＢｏｕｔとする。
【００８２】
まず、ステップＳ１において、建築設計の職能は、自身のクライアントコンピュータ１２の操作部１２０を操作し、設計情報を入力する。設計情報には、建築主の要求事項に関する情報から定まる、建築物の形状に関する形状情報及び建築物の各要素の属性情報と、他の職能に対するＢＩＭモデルを生成するために参照される属性情報とが含まれている。
【００８３】
建築設計の職能は、建築主の要求事項に関する情報に基づいて、設計情報を生成し操作部１２０により入力する。そして、クライアントコンピュータ１２のモデル生成部１２４により、操作部１２０によって受け付けた設計情報に基づいて、建築設計モデルが生成される。モデル生成部１２４は、建築設計の職能の操作に応じて生成した建築設計モデルをモデル記憶部１２６に格納する。
【００８４】
そして、例えば、建築設計の職能は、建築主の要求事項に関する情報に基づく設計情報である、面積根拠、室諸条件、外装デザイン、収容定数の根拠、敷地形状、建物位置、周辺環境、通り芯、階高、スパン、基本の柱割、及び外壁と建物外周ラインなどを、建築物の形状に関する形状情報及び建築物の各要素の属性情報Ａｉｎとして、送受信部１２８によりサーバ１４へ送信し、サーバ１４において生成されるベースモデルに反映する。
【００８５】
また、同様に、建築設計担当の職能は操作部１２０を操作し、例えば、各室ゾーンに必要な性能属性を、他の職能に対するＢＩＭモデルを生成するために参照される属性情報Ｂｉｎとして、送受信部１２８によりサーバ１４へ送信し、サーバ１４において生成されるベースモデルに付与する。
【００８６】
次に、ステップＳ２において、構造設計の職能は、自身のクライアントコンピュータ１２の操作部１２０を操作し、サーバ１４のベースモデル記憶部１４６に記憶されたベースモデルを、ネットワーク１６を介して表示部１５０に表示させる。そして、構造設計の職能は、表示部１５０によって表示されたベースモデルから得られる情報（Ａout，Ｂout）を参照して、構造設計モデルを作成する。
【００８７】
例えば、構造設計の職能は、ベースモデルから得られる情報のうち、室の配置、仕上種別などをＡｏｕｔとして参照する。また、例えば構造設計の職能は、ベースモデルから得られる情報のうち、床下がりなどの属性情報をＢｏｕｔとして参照する。
【００８８】
ステップＳ３において、構造設計の職能は、自身のクライアントコンピュータ１２の操作部１２０を操作し、設計情報を入力する。そして、構造設計の職能は、ＡｉｎとＢｉｎとを送受信部１２８によりサーバ１４へ送信し、ＡｉｎとＢｉｎとをベースモデルに付与し、ベースモデルを更新する。
【００８９】
例えば、構造設計の職能は、建築主の要求事項に関する情報である「〇〇［ton］の機器を置けること。」から生成される属性情報「積載荷重〇〇［ton/m2］」をＡｉｎとして、送受信部１２８によりサーバ１４へ送信し、サーバ１４において生成されるベースモデルに付与する。また、構造設計の職能は、プレキャストコンクリート構造とする範囲をＢｉｎとして、送受信部１２８によりサーバ１４へ送信し、サーバ１４において生成されるベースモデルに付与する。
【００９０】
ステップＳ４において、設備設計の職能は、自身のクライアントコンピュータ１２の操作部１２０を操作し、サーバ１４のベースモデル記憶部１４６に記憶されたベースモデルを、ネットワーク１６を介して表示部１５０に表示させる。そして、設備設計の職能は、表示部１５０によって表示されたベースモデルから得られる情報（Ａout，Ｂout）を参照して、設備設計モデルを作成する。
【００９１】
例えば、設備設計の職能は、ベースモデルから得られる情報のうち、室の配置、容積などをＡｏｕｔとして参照する。また、例えば設備設計の職能は、ベースモデルから得られる情報のうち、重要機能室などの属性情報をＢｏｕｔとして参照する。
【００９２】
ステップＳ５において、設備設計の職能は、自身のクライアントコンピュータ１２の操作部１２０を操作し、設計情報を入力する。そして、設備設計の職能は、ＡｉｎとＢｉｎとを送受信部１２８によりサーバ１４へ送信し、ＡｉｎとＢｉｎとをベースモデルに付与し、ベースモデルを更新する。
【００９３】
例えば、設備設計の職能は、建築主の要求事項に関する情報である「室別条件表での建築主合意事項」に基づき、各室の電源容量、照度、温湿度条件、空調ゾーニング、給水・排水・給湯等の供給要否をＡｉｎとして決定し、送受信部１２８によりサーバ１４へ送信し、サーバ１４において生成されるベースモデルに付与する。
【００９４】
また、設備設計の職能は、図面上表現しにくく、情報共有が必要な情報として、重量設備機器の積載荷重、諸官庁協議による各室条件とインフラ座標情報、及び危険物情報等をＢｉｎとして送受信部１２８によりサーバ１４へ送信し、サーバ１４において生成されるベースモデルに付与する。Ｂｉｎのうち重量設備機器の積載荷重は、主として構造設計の職能が構造設計モデルを生成する際に用いられ、諸官庁協議による各室条件とインフラ座標情報、及び危険物情報等は全ての職能において用いられる。
【００９５】
ステップＳ５の処理が終了すると、Ｃの時点において、建築主の要求事項の全てが、建築物の形状に関する形状情報及び建築物の各要素の属性情報としてベースモデルに反映される。これにより、ベースモデルのうち建築主の要求事項に関する部分が確定する。
【００９６】
そして、ステップＳ６において、見積もりの職能は、自身のクライアントコンピュータ１２の操作部１２０を操作し、サーバ１４のベースモデル記憶部１４６に記憶されたベースモデルを、ネットワーク１６を介して表示部１５０に表示させる。そして、見積もりの職能は、表示部１５０によって表示されたベースモデルから得られる情報（Ａout，Ｂout）を参照して、積算モデルを作成する。
【００９７】
例えば、見積もりの職能は、ベースモデルから得られる情報のうち、室の配置、仕上種別、面積、体積などをＡｏｕｔとして参照する。
【００９８】
ステップＳ７において、工事計画の職能は、自身のクライアントコンピュータ１２の操作部１２０を操作し、サーバ１４のベースモデル記憶部１４６に記憶されたベースモデルを、ネットワーク１６を介して表示部１５０に表示させる。そして、工事計画の職能は、表示部１５０によって表示されたベースモデルから得られる情報（Ａout，Ｂout）を参照して、工事計画モデルを作成する。
【００９９】
例えば、工事計画の職能は、ベースモデルから得られる情報のうち、建物配置情報をＡｏｕｔとして参照し、工事以外の仮営業範囲等の面積算出根拠や駐車場利用台数経緯に活用する。
【０１００】
ステップＳ８において、工事計画の職能は、自身のクライアントコンピュータ１２の操作部１２０を操作し、設計情報を入力する。そして、工事計画の職能は、例えば、時系列の情報をＢｉｎとして入力し、他の職能のＢＩＭモデルである建築施工モデルにおける施工手順、重機の効率的な配置に利用することができるようにする。また、工事計画の職能は、例えば、最適な構工法（例えば、プレキャストコンクリート化、床補強範囲、仮設開口範囲等）を取り込む手段としての範囲をＢｉｎとして決定し、送受信部１２８によりサーバ１４へ送信し、Ｂｉｎをベースモデルに付与し、ベースモデルを更新する。
【０１０１】
ステップＳ８の処理が終了すると、他の職能のＢＩＭモデルである、建築施工モデル、鉄骨モデル、設備施工モデル、及びＦＭモデルの作成過程において、ベースモデルから得られる情報（Ａout，Ｂout）が参照される。また、各ＢＩＭモデルによって生成された、他の職能に対するＢＩＭモデルを生成するために参照される属性情報Ｂｉｎが、ベースモデルに付与され、ベースモデルが更新される。
【０１０２】
そして、建築物が竣工した後、ＦＭモデルの生成が終了すると、建築設計施工計画システムにおけるベースモデルの生成・更新処理も終了する。
【０１０３】
以上詳細に説明したように、本実施の形態では、建築主の要求事項に関する情報から定まる、建築物の形状に関する形状情報を反映し、かつ建築物の各要素の属性情報を付与したベースモデルを生成し、複数の職能に対し、生成されたベースモデルから得られる各情報を参照して、職能に応じたＢＩＭモデルを複数生成することにより、職能に応じたＢＩＭモデルが複数存在する場合に、建築主の要求事項を満たす設計施工計画を効率的に作成することができる。
【０１０４】
また、本実施の形態では、職能から付与された、他の職能に対するＢＩＭモデルを生成するために参照される属性情報をベースモデルに含ませることにより、他の職能に対するＢＩＭモデルによってベースモデルに含まれる属性情報が更新された場合であっても、設計施工計画を効率的に進めることができる。
【０１０５】
また、建築主の要求事項に関する情報及び後工程の他のＢＩＭモデルにおいて参照される情報がベースモデルに格納されることにより、複数のＢＩＭモデルを参照しなくとも、建築主の要求事項を満たす設計施工計画を効率的に作成することができる。
【０１０６】
また、本実施の形態により、従来では文書として表現されていた建築主の要求事項を、ＢＩＭモデルとして表現することができる。これにより、建築主の要求事項をＢＩＭモデルとして把握することができる。
【０１０７】
また、ベースモデルには建築主の要求事項に関する情報が反映されているため、設計変更が行われる際に、当該設計変更が建築主の要求事項に基づくものであるか否かを明確にすることができる。例えば、設計変更前のベースモデルと設計変更後のベースモデルとを重ね合わせて比較した場合、建築主の要求事項の部分が変更されているか否かが明確になる。これにより契約変更を円滑に行うことができる。
【０１０８】
また、本実施の形態では、建築主の要求事項に関する情報が反映されたベースモデルを生成することにより、ベースモデルと自らの職能に応じたＢＩＭモデルとに基づいて、自らのＢＩＭモデルが建築主の要求事項を満たしているか否かを確認することができる。
【０１０９】
図１０に、従来のモデルとベースモデルとの相違を説明するための図を示す。
【０１１０】
図１０に示すように、従来では、各職能に応じたＢＩＭモデルの統合を行ったり、重ね合わせたりすることによって、各ＢＩＭモデルの整合性が確認されていた。例えば、従来では、建築設計モデルと設備設計モデルとの間において、天井内に配管設備が納まるか否かの干渉チェック等が行われていた。
【０１１１】
一方、本実施の形態におけるベースモデルには建築主の要求事項が反映されているため、図１０に示すように、各職能に応じたＢＩＭモデルとベースモデルとが整合しているかを確認することにより、ＢＩＭモデルが建築主の要求事項を満たしているか否かを確認することができる。そのため、ベースモデルは遵守すべき規範として機能し、職能に応じたＢＩＭモデルが複数存在する場合であっても、建築主の要求事項を満たす設計施工計画を効率的に作成することができる。
【０１１２】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【０１１３】
また、上記の実施の形態は、本発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【０１１４】
例えば、上記実施の形態では、建築主の要求事項に関する情報及び後工程の他のＢＩＭモデルの生成の際に参照される情報がベースモデルに反映される場合を例に説明したが、これに限定されるものではなく、例えば、建築主の要求事項に関する情報のみがベースモデルに反映されていてもよい。
【０１１５】
また、上記実施の形態では、本発明をクライアントコンピュータ１２とサーバ１４とを備えた建築設計施工計画システム１０によって実現される場合を例に説明したが、これに限定されるものではなく、他の形態によって本発明を実現してもよい。
【０１１６】
また、上記実施の形態では、各職能に応じたＢＩＭモデルとして、建築設計モデル、設備設計モデル、積算モデル、工事計画モデル、建築施工モデル、鉄骨モデル、設備施工モデル、及びＦＭモデルを例に説明したが、これに限定されるものではなく、他の職能に応じたＢＩＭモデルに対しても適用可能である。
【０１１７】
また、上記実施の形態で示した建築設計施工計画システムの処理の流れ（図９参照。）も一例であり、本発明の主旨を逸脱しない範囲内において、不要な処理ステップを削除したり、新たな処理ステップを追加したり、処理ステップの順序を入れ替えたりすることができる。
【０１１８】
また、上記実施の形態では、各職能が建築主の要求事項に関する情報及び後工程の他のＢＩＭモデルにおいて参照される情報をベースモデルに反映させ、また、各職能はベースモデルから得られる情報を参照して自らのＢＩＭモデルを更新する場合を例に説明したが、これに限定されるものではない。
【０１１９】
例えば、図１１に示すように、建築主の要求事項に関する情報及び後工程の他のＢＩＭモデルにおいて参照される情報が予め定められ、かつベースモデルと各職能に応じたＢＩＭモデルとが紐付けられているようにしてもよい。
【０１２０】
この場合、上記図１１に示すように、職能に応じたＢＩＭモデルの斜線部分が更新されると、建築主の要求事項に関する情報及び後工程の他のＢＩＭモデルにおいて参照される情報が自動的にベースモデルに反映されるようにすることができる。また、同様に、ベースモデルが更新されると各職能に応じたＢＩＭモデルも更新されるようにすることができる。
【０１２１】
なお、ベースモデルが更新されると各職能に応じたＢＩＭモデルも自動的に更新されるようにした場合、各職能に応じたＢＩＭモデルは更新された情報に基づいて、例えば、構造計算、設備計算、及び数量計算等を行い、半自動的に設計作業を行うようにしてもよい。例えば、設備設計モデルは、ベースモデルから得られる情報のうち各部屋の容積に基づいて、空調容量の計算を行い、計算結果に応じた空調システムの決定の支援や、配管設備の設計を半自動的に行ってもよい。また、例えば、積算モデルは、ベースモデルから得られる情報のうち各部屋の面積に基づいて、見積もり計算を半自動的に行ってもよい。
【０１２２】
また、上記実施の形態では、各職能は、ベースモデルから得られる情報を参照して、自らのＢＩＭモデルが建築主の要求事項を満たしているか否かを確認する場合を例に説明したが、これに限定されるものではない。例えば、ベースモデルに含まれる情報と各職能のＢＩＭモデルに含まれる情報とが予め対応付けられており、各職能のＢＩＭモデルとベースモデルとが整合しているか否かを、自動的に確認できるようにしてもよい。
【符号の説明】
【０１２３】
１０   建築設計施工計画システム
１２   クライアントコンピュータ
１４   サーバ
１６   ネットワーク
１２０，１４８  操作部
１２２，１４０  コンピュータ
１２４ モデル生成部
１２６ モデル記憶部
１２８，１４２  送受信部
１３０，１５０  表示部
１４４ ベースモデル生成部
１４６ ベースモデル記憶部
【図１】
2018005507.tif 000003
【図２】
2018005507.tif 000004
【図３】
2018005507.tif 000005
【図４】
2018005507.tif 000006
【図５】
2018005507.tif 000007
【図６】
2018005507.tif 000008
【図７】
2018005507.tif 000009
【図８】
2018005507.tif 000010
【図９】
2018005507.tif 000011
【図１０】
2018005507.tif 000012
【図１１】
2018005507.tif 000013